(57)【要約】      （修正有）【課題】小型軽量化した太陽光発電装置を提供する。【解決手段】複数本のパネルユニット架設用支柱Ｓを地面ＧＬに対してほぼ垂直な仮想平面をなすようにそれぞれ立設し、複数本のパネルユニット架設用支柱Ｓ間に上下方向に所定の間隔を介して太陽光発電パネルユニットＰＵを複数段に架設した太陽光発電装置において、水平線に対して太陽光発電パネルユニットＰＵの設置傾斜角度だけ傾いた傾斜辺部，傾斜辺部の上端部から垂下するように延出された垂直辺部，および垂直辺部の下端部と傾斜辺部の下端部とを繋ぐ支持辺部とからなる三角形状に形成され、各パネルユニット架設用支柱Ｓに複数段の各段位置に対応するように取り付けられたパネルユニット設置用三角金具Ｔと、複数本のパネルユニット架設用支柱Ｓの同じ段位置に取り付けられたパネルユニット設置用三角金具Ｔの傾斜辺部間に架設された複数段の太陽光発電パネルユニットＰＵとを有する。【選択図】図１
2014140301.tif 000002
【特許請求の範囲】
【請求項１】
複数本のパネルユニット架設用支柱を地面に対してほぼ垂直な仮想平面をなすようにそれぞれ立設し、前記複数本のパネルユニット架設用支柱間に上下方向に所定の間隔を介して太陽光発電パネルユニットを複数段に架設した太陽光発電装置において、
水平線に対して太陽光発電パネルユニットの設置傾斜角度だけ傾いた傾斜辺部，前記傾斜辺部の上端部から垂下するように延出された垂直辺部，および前記垂直辺部の下端部と前記傾斜辺部の下端部とを繋ぐ支持辺部とからなる三角形状に形成され、各パネルユニット架設用支柱に前記複数段の各段位置に対応するように取り付けられたパネルユニット設置用三角金具と、
前記複数本のパネルユニット架設用支柱の同じ段位置に取り付けられた前記パネルユニット設置用三角金具の傾斜辺部間に架設された複数段の太陽光発電パネルユニットと
を有することを特徴とする太陽光発電装置。
【請求項２】
前記パネルユニット設置用三角金具が、前記垂直辺部の上端寄りを１枚の締付バンド,４本の傾斜端面ボルトおよび２本の締付ボルトによって前記パネルユニット架設用支柱に締着され、前記垂直辺部の下端寄りを１枚の締付バンド,４本の傾斜端面ボルトおよび２本の締付ボルトによって前記パネルユニット架設用支柱に締着されていることを特徴とする請求項１記載の太陽光発電装置。
【請求項３】
前記複数本のパネルユニット架設用支柱間に頭繋ぎロッドが架設されていることを特徴とする請求項１または２に記載の太陽光発電装置。
【請求項４】
前記パネルユニット架設用支柱が、その基端部を地中に埋設された基礎ブロックの支持筒部内に挿入されて固定されたコンクリート柱でなることを特徴とする請求項１ないし３のいずれか１項に記載の太陽光発電装置。
【請求項５】
前記パネルユニット架設用支柱が、その基端部を地面に載置された基礎ブロックに螺子で固定された鋼管柱でなることを特徴とする請求項１ないし３のいずれか１項に記載の太陽光発電装置。
【発明の詳細な説明】
【技術分野】
【０００１】
本発明は太陽光発電装置に関し、より詳しくは複数本のパネルユニット架設用支柱間に上下方向に所定の間隔を介して複数段の太陽光発電パネルユニットを架設してなる太陽光発電装置に関する。
【背景技術】
【０００２】
近年、太陽の光エネルギーを利用した太陽光発電は、エコロジーの一環として、世界各国で利用が進められており、未来のエネルギーとしての期待も大きい。今後、太陽光発電パネル自体の改良も進むと思われ、ますます重要性が増すことが見込まれている。しかし、我国でもエコロジーはもとよりＣＯ２の排出削減を目標に国も補助金等を拠出して太陽光発電装置の普及を推進しているが、伸び悩んでいるのが現状である。その理由として、費用も一因であるが、太陽光発電装置の設置場所の問題が原因で設置が不可能となっている場合も多いと思われる。
【０００３】
太陽光発電装置の設置場所としては、新設または既設の建物の屋根や壁面が一般的に考えられるが、新設または既設の建物の屋根や壁面がすべて一番効率のいい南面を向いていることは現実として多くはなく、また設置スペースの限界もある。また、既設の建物の屋根や壁面であれば、その耐久性において考慮を必要として、下地等の補強が必要になってくる場合があるとともに、雨漏り等を含めたメンテナンスも考えなくてはならない。
【０００４】
そこで、複数本のパネルユニット架設用支柱間に上下方向に所定の間隔を介して複数段の太陽光発電パネルユニットを架設してなる太陽光発電装置が提案されている（例えば、特許文献１の図２，図３，図５，図６，図８および図９ならびにそれらの詳細な説明を参照）。このような従来の太陽光発電装置は、設置スペースの限られた設置場所に設置することができるので、広大な敷地を必要とせず、狭い敷地でも効率よく大容量の太陽光発電を行うことができるという利点がある。また、新設または既設の建物の屋根や壁面に取り付けるのではなく、独立して設置するため、屋根や壁面に取り付けた場合と違い、雨漏り、構造補強等の心配がないという利点がある。さらに、太陽光発電パネルユニットの取付後の修理や保守が容易であるとともに、機能アップした太陽光発電パネルが発売されたときに太陽光発電パネル自体の交換も可能であるという利点がある。
【先行技術文献】
【特許文献】
【０００５】
【特許文献１】特開２０１０−０５０２０６号公報
【発明の開示】
【発明が解決しようとする課題】
【０００６】
しかしながら、特許文献１に開示された太陽光発電装置では、複数本のパネルユニット架設用支柱間に下パネルユニット受け部材および上パネルユニット受け部材が複数段に架設され、下パネルユニット受け部材および上パネルユニット受け部材間に複数段の太陽光発電パネルユニットが斜めに傾けられて設置されていたので、下パネルユニット受け部材および上パネルユニット受け部材がある程度大きく重いものにならざるを得ず、下パネルユニット受け部材および上パネルユニット受け部材を架設する複数本のパネルユニット架設用支柱も太く重いものとなって太陽光発電装置が大型重量化するという問題点があった。
【０００７】
本発明の目的は、上述の点に鑑み、各パネルユニット架設用支柱に取り付けられたパネルユニット設置用三角金具の傾斜辺部間に複数段の太陽光発電パネルユニットを架設することにより、小型軽量化を図ることができるようにした太陽光発電装置を提供することにある。
【課題を解決するための手段】
【０００８】
請求項１記載の太陽光発電装置は、複数本のパネルユニット架設用支柱を地面に対してほぼ垂直な仮想平面をなすようにそれぞれ立設し、前記複数本のパネルユニット架設用支柱間に上下方向に所定の間隔を介して太陽光発電パネルユニットを複数段に架設した太陽光発電装置において、水平線に対して太陽光発電パネルユニットの設置傾斜角度だけ傾いた傾斜辺部，前記傾斜辺部の上端部から垂下するように延出された垂直辺部，および前記垂直辺部の下端部と前記傾斜辺部の下端部とを繋ぐ支持辺部とからなる三角形状に形成され、各パネルユニット架設用支柱に前記複数段の各段位置に対応するように取り付けられたパネルユニット設置用三角金具と、前記複数本のパネルユニット架設用支柱の同じ段位置に取り付けられた前記パネルユニット設置用三角金具の傾斜辺部間に架設された複数段の太陽光発電パネルユニットとを有することを特徴とする。
【０００９】
請求項２記載の太陽光発電装置は、請求項１記載の太陽光発電装置において、前記パネルユニット設置用三角金具が、前記垂直辺部の上端寄りを１枚の締付バンド,４本の傾斜端面ボルトおよび２本の締付ボルトによって前記パネルユニット架設用支柱に締着され、前記垂直辺部の下端寄りを１枚の締付バンド,４本の傾斜端面ボルトおよび２本の締付ボルトによって前記パネルユニット架設用支柱に締着されていることを特徴とする。
【００１０】
請求項３記載の太陽光発電装置は、請求項１または２記載の太陽光発電装置において、前記複数本のパネルユニット架設用支柱間に頭繋ぎロッドが架設されていることを特徴とする。
【００１１】
請求項４記載の太陽光発電装置は、請求項１ないし３のいずれか１項に記載の太陽光発電装置において、前記パネルユニット架設用支柱が、その基端部を地中に埋設された基礎ブロックの支持筒部内に挿入されて固定されたコンクリート柱でなることを特徴とする。
【００１２】
請求項５記載の太陽光発電装置は、請求項１ないし３のいずれか１項に記載の太陽光発電装置において、前記パネルユニット架設用支柱が、その基端部を地面に載置された基礎ブロックに螺子で固定された鋼管柱でなることを特徴とする。
【発明の効果】
【００１３】
請求項１記載の太陽光発電装置によれば、複数本のパネルユニット架設用支柱を地面に対してほぼ垂直な仮想平面をなすようにそれぞれ立設し、複数本のパネルユニット架設用支柱間に上下方向に所定の間隔を介して太陽光発電パネルユニットを複数段に架設した太陽光発電装置において、水平線に対して太陽光発電パネルユニットの設置傾斜角度だけ傾いた傾斜辺部，傾斜辺部の上端部から垂下するように延出された垂直辺部，および垂直辺部の下端部と傾斜辺部の下端部とを繋ぐ支持辺部とからなる三角形状に形成され、各パネルユニット架設用支柱に複数段の各段位置に対応するように取り付けられたパネルユニット設置用三角金具と、複数本のパネルユニット架設用支柱の同じ段位置に取り付けられたパネルユニット設置用三角金具の傾斜辺部間に架設された複数段の太陽光発電パネルユニットとを有することにより、複数本のパネルユニット架設用支柱間に下パネルユニット受け部材および上パネルユニット受け部材を架設する必要がなくなるので、太陽光発電装置の小型軽量化を図ることができるという効果がある。
【００１４】
請求項２記載の太陽光発電装置によれば、パネルユニット設置用三角金具が、垂直辺部の上端寄りを１枚の締付バンド,４本の傾斜端面ボルトおよび２本の締付ボルトによってパネルユニット架設用支柱に締着され、垂直辺部の下端寄りを１枚の締付バンド,４本の傾斜端面ボルトおよび２本の締付ボルトによってパネルユニット架設用支柱に締着されているので、パネルユニット設置用三角金具がパネルユニット架設用支柱にしっかりと固定され、容易に離脱することはないという効果がある。
【００１５】
請求項３記載の太陽光発電装置によれば、複数本のパネルユニット架設用支柱間に頭繋ぎロッドが架設されているので、複数本のパネルユニット架設用支柱を一体化して、強風時等に複数本のパネルユニット架設用支柱が互いに異なる方向に揺れて、複数本のパネルユニット架設用支柱間に架設された太陽光発電パネルユニットが外れたり、破壊されたりすることを防止することができる。
【００１６】
請求項４記載の太陽光発電装置によれば、パネルユニット架設用支柱が、その基端部を地中に埋設された基礎ブロックの支持筒部内に挿入されて固定されたコンクリート柱でなるので、太陽光発電パネルユニットを十分な強度で支えることができる。
【００１７】
請求項５記載の太陽光発電装置によれば、パネルユニット架設用支柱が、その基端部を地面に載置された基礎ブロックに螺子で固定された鋼管柱でなるので、設置場所の日照条件等の変化に応じて比較的容易に太陽光発電パネルユニットの設置方位角度や設置場所を変更することが可能になる。
【図面の簡単な説明】
【００１８】
【図１】（ａ）および（ｂ）は本発明の実施例１に係る太陽光発電装置の正面図および側面図である。
【図２】（ａ）および（ｂ）は図１中の太陽光発電パネルの正面図および側面図である。
【図３】（ａ）および（ｂ）は図１中のパネルユニット架設用支柱および基礎ブロックを示す正面図および断面図である。
【図４】（ａ）ないし（ｃ）はパネルユニット架設用支柱を基礎ブロックに固定する工程を示す図である。
【図５】（ａ）ないし（ｇ）はパネルユニット設置用三角金具を示す図である。
【図６】図１中の締付バンドを示す正面図である。
【図７】（ａ）ないし（ｅ）はパネルユニット設置用三角金具を締付バンドによってパネルユニット架設用支柱に締着する態様を示す図である。
【図８】（ａ）および（ｂ）は図１中の太陽光発電パネルユニットをパネルユニット架設用支柱に締着されたパネルユニット設置用三角金具間に架設する態様を示す図である。
【図９】図１中の頭繋ぎロッドを示す側面図である。
【図１０】（ａ）および（ｂ）は図１中の頭繋ぎロッドをパネルユニット架設用支柱に締着する態様を示す図である。
【図１１】（ａ）および（ｂ）は本発明の実施例２に係る太陽光発電装置の正面図および側面図である。
【図１２】（ａ）および（ｂ）は図１１中のパネルユニット架設用支柱の正面図および平面図である。
【図１３】（ａ）および（ｂ）は図１１中の基礎ブロックの平面図および側面図である。
【発明を実施するための形態】
【００１９】
以下、本発明の実施例について、図面を参照しながら詳細に説明する。
【実施例１】
【００２０】
図１（ａ）および（ｂ）は、本発明の実施例１に係る太陽光発電装置の正面図および側面図である。本実施例１に係る太陽光発電装置は、比較的狭い設置スペースで太陽光発電を行うために、３本のパネルユニット架設用支柱Ｓを地面ＧＬに対してほぼ垂直な仮想平面をなすようにそれぞれ立設し、３本のパネルユニット架設用支柱Ｓ間に上下方向に所定の間隔を介して６枚の太陽光発電パネルユニットＰＵを６段に架設するようにしたものである。
【００２１】
詳しくは、実施例１に係る太陽光発電装置は、図１（ａ）および（ｂ）に示すように、地面ＧＬに掘られた穴内に埋設された３つの基礎ブロックＢと、３つの基礎ブロックＢにそれぞれ固定された３本のパネルユニット架設用支柱Ｓと、各パネルユニット架設用支柱Ｓに６段の各段位置に対応するように取り付けられたパネルユニット設置用三角金具Ｔと、３本のパネルユニット架設用支柱Ｓの同じ段位置に取り付けられたパネルユニット設置用三角金具Ｔ間に架設された６枚の太陽光発電パネルユニットＰＵと、３本のパネルユニット架設用支柱Ｓ間に架設された頭繋ぎロッドＲとから、その主要部が構成されている。なお、符号ＳＬは、太陽光を示す。
【００２２】
図２（ａ）および（ｂ）を参照すると、太陽光発電パネルＰは、６×１２枚の太陽電池（太陽光発電モジュール）を直並列接続して必要な電圧および電流を得られるようにしたものである。太陽光発電パネルＰの発電量は、例えば、１枚当たり約０．２ＫＷとなる。なお、１枚の太陽光発電パネルＰにおいて直並列接続される太陽電池の枚数は、その発電量に応じて任意に設定することができる。
【００２３】
図１（ａ）に示すように、各太陽光発電パネルユニットＰＵは、４枚の太陽光発電パネルＰがパネルユニット枠体（図示せず）により横長に４枚連設されて形成されている。これにより、太陽光発電パネルユニットＰＵの発電量は、例えば、１枚当たり約０．８ＫＷとなる。
【００２４】
同じく図１（ａ）に示すように、実施例１に係る太陽光発電装置には、６枚の太陽光発電パネルユニットＰＵが上下方向に所定の間隔を介して６段に設置されている。これにより、太陽光発電装置の発電量は、例えば、１台当たり約４．８ＫＷとなる。以下、最下段の太陽光発電パネルユニットＰＵから上に向かって順に、適宜、第１段，第２段，第３段，第４段，第５段および第６段の太陽光発電パネルユニットＰＵと呼ぶことがある。
【００２５】
図３（ａ）を参照すると、パネルユニット架設用支柱Ｓは、基端部（下端部）から先端部（上端部）に向けて次第に細くなるコンクリート柱で形成されている。パネルユニット架設用支柱Ｓは、あらかじめ工場で製造することができるので、実施例１に係る太陽光発電装置の設置工事の際に運搬および保管がしやすいという利点があるとともに、設置工期の短縮が可能となる。また、パネルユニット架設用支柱Ｓは、基端部（下端部）から先端部（上端部）に向けて次第に細くなっているので、上下方向に同一径の鋼管製のパネルユニット架設用支柱Ｓより上下方向の所定の間隔を狭くしても、太陽光ＳＬが太陽光発電パネルユニットＰＵに照射する際に、下位に設置された太陽光発電パネルユニットＰＵが上位に設置された太陽光発電パネルユニットＰＵによって日陰になることはなく、より多くの段に太陽光発電パネルユニットＰＵを設置することが可能になるという利点がある。さらに、コンクリート製のパネルユニット架設用支柱Ｓは、その強度が鋼管製のパネルユニット架設用支柱Ｓよりも増すので、同じ長さの太陽光発電パネルユニットＰＵを上下方向の所定の間隔を介して設置する段数も多くすることができる。
【００２６】
図３（ｂ）を参照すると、基礎ブロックＢは、四角板部Ｂ１と、四角板部Ｂ１の表面に一体的に突設された支持筒部Ｂ２とからなり、予め工場にて製造される。基礎ブロックＢは、事前に工場で製造しておくことができるので、運搬および保管がしやすいという利点があるとともに、太陽光発電装置の設置工期の短縮が可能となる。なお、基礎ブロックＢは、地面ＧＬに掘られた穴底に撒かれた砕石上に捨てコンクリートを施工し、その捨てコンクリート上に載置されるように配置される。
【００２７】
図４（ａ）に示すように、基礎ブロックＢは、太陽光発電装置の設置場所に運搬された後に、地面ＧＬに掘られた穴内に支持筒部Ｂ２の上端部だけが突出するように埋設される。この際、３つの基礎ブロックＢは、地面ＧＬ上で一直線をなすように埋設される。上記一直線は、太陽光発電パネルユニットＰＵを向ける設置方位角度と対向するように設定される。日本では、設置方位角度は真南に設定されることが一般的であるので、上記一直線は東西方向の直線とすることが望ましい。しかし、設置場所における太陽光ＳＬの日照条件等に応じて上記一直線の向きを変化させることができる。
【００２８】
次に、図４（ｂ）に示すように、支持筒部Ｂ２内に工場製造時に仮設されていたボイドＢ３が取り出された後に、３本のパネルユニット架設用支柱Ｓの基端部（下端部）が３つの支持筒部Ｂ２内にそれぞれ挿入される。
【００２９】
続いて、図４（ｃ）に示すように、支持筒部Ｂ２とパネルユニット架設用支柱Ｓとの間の空隙にセメントミルクが注入されて、セメントミルクが固化することにより、３本のパネルユニット架設用支柱Ｓが３つの基礎ブロックＢにそれぞれ固定される。これにより、３本のパネルユニット架設用支柱Ｓは、地面ＧＬに対してほぼ垂直な仮想平面をなすようにそれぞれ立設される。
【００３０】
図５（ａ）を参照すると、パネルユニット設置用三角金具Ｔは、水平線に対して太陽光発電パネルユニットＰＵの設置傾斜角度（本実施例１では約４０°）だけ傾いた傾斜辺部，傾斜辺部の上端部から垂下するように延出された垂直辺部，および垂直辺部の下端部と傾斜辺部の下端部とを繋ぐ支持辺部からなる三角形状に形成されている。具体的には、パネルユニット設置用三角金具Ｔは、側面から見て７０°,６０°および５０°の内角を有する三角形状に形成され、５０°の頂点と７０°の頂点とを結ぶ傾斜辺部には、太陽光発電パネルユニットＰＵを配置するためのパネルユニット受け部材ＴａおよびＴｂがロウ付け（はんだ付け）によってそれぞれ固着されている。垂直辺部は５０°の頂点と６０°の頂点とを結ぶ辺部であり、支持辺部は７０°の頂点と６０°の頂点とを結ぶ辺部である。
【００３１】
図５（ｂ）および（ｃ）に示すように、パネルユニット設置用三角金具Ｔは、左右の三角枠体Ｔ１およびＴ２と、パネルユニット受け部材ＴａおよびＴｂとが、互いにロウ付けされて形成されている。三角枠体Ｔ１およびＴ２は、側面から見える半部と正面から見える半部とが直角に折り曲げられて形成されていて、縦中央面で面対称となっている。三角枠体Ｔ１およびＴ２は、側面から見える半部の対向面同士がロウ付けされて一体化されている。
【００３２】
左方の三角枠体Ｔ１の垂直辺部には、図５（ｂ）に示すように、上端寄りに２つの支柱取付用透孔Ｔ１ａが上下方向に離間して穿設され、下端寄りに２つの支柱取付用透孔Ｔ１ｂが上下方向に離間して穿設されている。
【００３３】
同様に、右方の三角枠体Ｔ２の垂直辺部には、図５（ｂ）に示すように、上端寄りに２つの支柱取付用透孔Ｔ２ａが上下方向に離間して穿設され、下端寄りに２つの支柱取付用透孔Ｔ２ｂが上下方向に離間して穿設されている。
【００３４】
三角枠体Ｔ１およびＴ２の傾斜辺部には、図５（ａ）および（ｃ）に示すように、５０°の頂点寄りの外周面に断面逆コ字状のパネルユニット受け部材Ｔａ（図５（ｄ）および（ｅ）参照）が、７０°の頂点寄りの外周面に断面コ字状のパネルユニット受け部材Ｔｂ（図５（ｆ）および（ｇ）参照）が、断面で見て開口する側を互いに対向させるようにロウ付けされている。パネルユニット受け部材Ｔａとパネルユニット受け部材Ｔｂとの間隔は、太陽光発電パネルユニットＰＵの縦（長方形の短辺）の長さより若干大きく、太陽光発電パネルユニットＰＵをパネルユニット受け部材Ｔａ,Ｔｂ間に左右方向から挿入できる間隔に設定されている。パネルユニット受け部材ＴａおよびＴｂのロウ付けされていない辺部には、左右方向に長い３つの長孔Ｔａ１およびＴｂ１がそれぞれ左右方向に離間して穿設されている。そして、各長孔Ｔａ１およびＴｂ１には、太陽光発電パネルユニットＰＵのビス孔（図示せず）に螺入されて太陽光発電パネルユニットＰＵをパネルユニット設置用三角金具Ｔに固定するビスＴａ２およびＴｂ２がそれぞれ挿入されている。
【００３５】
図６を参照すると、締付バンドＣは、横長の可撓性金属薄板でなり、中央部に４つの三角金具取付用透孔Ｃ１が正四角形の頂点を成すようにそれぞれ穿設され、両端部寄りに２つずつの締付用透孔Ｃ２が上下方向に離間されてそれぞれ穿設されている。４つの三角金具取付用透孔Ｃ１は、パネルユニット設置用三角金具Ｔの支柱取付用透孔Ｔ１ａ，Ｔ２ａ，Ｔ１ｂ，Ｔ２ｂとそれぞれ対応するように穿設されている。
【００３６】
図７（ａ）および（ｂ）を参照すると、傾斜端面ボルトＶ１は、ボルト頭の端面（図では下端面）が螺子部に対して垂直ではなく、そこから若干傾斜して形成されている。傾斜端面ボルトＶ１の端面の傾斜角度は、図７（ｃ）に示すように、締付バンドＣの４つの三角金具取付用透孔Ｃ１に挿通されて締付バンドＣがパネルユニット架設用支柱Ｓに締着されたときに、パネルユニット架設用支柱Ｓの外周面に沿うように設定されている。
【００３７】
図７（ｃ）〜（ｅ）に示すように、まず、１枚の締付バンドＣの４つの三角金具取付用透孔Ｃ１に４本の傾斜端面ボルトＶ１を挿通し、４本の傾斜端面ボルトＶ１に４つのナットＮをそれぞれ螺合する。次に、４本の傾斜端面ボルトＶ１の先端部をパネルユニット設置用三角金具Ｔの上端寄りの支柱取付用透孔Ｔ１ａおよびＴ２ａに挿通し、４つのナットＮを４本の傾斜端面ボルトＶ１に螺合することにより、パネルユニット設置用三角金具Ｔの上端寄りに１枚の締付バンドＣを取り付ける。同様に、１枚の締付バンドＣの４つの三角金具取付用透孔Ｃ１に４本の傾斜端面ボルトＶ１を挿通し、４本の傾斜端面ボルトＶ１に４つのナットＮをそれぞれ螺合する。次に、４本の傾斜端面ボルトＶ１の先端部をパネルユニット設置用三角金具Ｔの下端寄りの支柱取付用透孔Ｔ１ｂおよびＴ２ｂに挿通し、４つのナットＮを４本の傾斜端面ボルトＶ１に螺合することにより、パネルユニット設置用三角金具Ｔの下端寄りに１枚の締付バンドＣを取り付ける。
【００３８】
続いて、パネルユニット設置用三角金具Ｔの上端寄りおよび下端寄りに取り付けられた２枚の締付バンドＣをパネルユニット架設用支柱Ｓにそれぞれ巻回し、傾斜端面ボルトＶ１の傾斜端面をパネルユニット架設用支柱Ｓの外周面に沿わせるように位置させる。次に、２枚の締付バンドＣの両端部の重ね合わされた一対ずつの締付用透孔Ｃ２に２本ずつの締付ボルトＶ２をそれぞれ挿通してナットＮを螺合することにより、２枚の締付バンドＣをパネルユニット架設用支柱Ｓに締着する。これにより、パネルユニット設置用三角金具Ｔは、図８（ａ）および（ｂ）に示すように、支柱取付用透孔Ｔ１ａおよびＴ２ａならびに支柱取付用透孔Ｔ１ｂおよびＴ２ｂの上下２箇所で２枚の締付バンドＣを介してパネルユニット架設用支柱Ｓに締着される。
【００３９】
図８（ａ）および（ｂ）を参照すると、パネルユニット設置用三角金具Ｔの傾斜辺部間には、太陽光発電パネルユニットＰＵが上下方向に所定の間隔を介して架設される。太陽光発電パネルユニットＰＵは、上下方向に所定の間隔を介してパネルユニット架設用支柱Ｓに取り付けられているので、太陽光ＳＬが太陽光発電パネルユニットＰＵに照射する際に、下位に設置された太陽光発電パネルユニットＰＵが上位に設置された太陽光発電パネルユニットＰＵによって日陰になることはない。
【００４０】
図９を参照すると、頭繋ぎロッドＲは、断面逆コ字型の長尺部材で形成され、左右両端部および左右中央部の３箇所にＵボルトＵがナットＮによって螺着されている。頭繋ぎロッドＲは、図１（ａ）および（ｂ）に示すように、第６段の太陽光発電パネルユニットＰＵと第５段の太陽光発電パネルユニットＰＵとの間となるように３本のパネルユニット架設用支柱Ｓ間に架設されている。頭繋ぎロッドＲは、３本のパネルユニット架設用支柱Ｓの上端部間を繋ぐことにより、これらパネルユニット架設用支柱Ｓを一体化するようにし、強風時等に３本のパネルユニット架設用支柱Ｓの上端部が互いに異なる方向に揺れて、３本のパネルユニット架設用支柱Ｓに取り付けられたパネルユニット設置用三角金具Ｔの傾斜辺部間に架設された太陽光発電パネルユニットＰＵが外れたり、破壊されたりすることを防止する役目をする。
【００４１】
頭繋ぎロッドＲを３本のパネルユニット架設用支柱Ｓ間に取り付けるには、図１０（ａ）および（ｂ）に示すように、まず頭繋ぎロッドＲから３本のＵボルトＵを外し、各ＵボルトＵを各パネルユニット架設用支柱Ｓの背面側から嵌合させ、ＵボルトＵの両端螺子部を頭繋ぎロッドＲの透孔に挿入してナットＮを螺合する。これにより、頭繋ぎロッドＲがパネルユニット架設用支柱Ｓに締着される。
【００４２】
次に、このように構成された実施例１に係る太陽光発電装置の設置方法について説明する。
【００４３】
まず、太陽光発電装置の設置場所を平坦にならした後、３つの基礎ブロックＢを地面ＧＬに一直線上となるように掘った穴に埋設する。この際、基礎ブロックＢの支持筒部Ｂ２の上端部が地面ＧＬから若干突出するようにする。３つの基礎ブロックＢを埋設するときの上記一直線は、太陽光発電パネルユニットＰＵを設置する設置方位角度に正対することが望ましい。例えば、日本では、真南に正対した東西の線に一致させることが好ましい。しかし、設置場所における太陽光ＳＬの日照条件等に応じて上記一直線の向きを変化させることができる。
【００４４】
次に、各基礎ブロックＢの支持筒部Ｂ２内に工場製造時に仮設されていたボイドＢ３（図４（ａ）参照）を取り出した後、図４（ｂ）に示すように、３本のパネルユニット架設用支柱Ｓの基端部（下端部）を３つの基礎ブロックＢの支持筒部Ｂ２内にそれぞれ挿入する。
【００４５】
続いて、図４（ｃ）に示すように、支持筒部Ｂ２とパネルユニット架設用支柱Ｓとの間の空隙にセメントミルクを注入し、セメントミルクの固化により３本のパネルユニット架設用支柱Ｓを３つの基礎ブロックＢにそれぞれ固定する。これにより、３本のパネルユニット架設用支柱Ｓが、地面ＧＬに対してほぼ垂直な仮想平面をなすようにそれぞれ立設される。
【００４６】
次に、１本の頭繋ぎロッドＲを３本のＵボルトＵにより３本のパネルユニット架設用支柱Ｓの上端寄りの位置に、３本のパネルユニット架設用支柱Ｓ間を架橋するように締着する。詳しくは、図１０（ａ）および（ｂ）に示すように、まず頭繋ぎロッドＲから３本のＵボルトＵを外し、各ＵボルトＵを３本のパネルユニット架設用支柱Ｓの背面側から嵌合させ、３本のＵボルトＵの両端螺子部を頭繋ぎロッドＲの透孔（図示せず）に挿入してそれぞれナットＮを螺合することにより、１本の頭繋ぎロッドＲを３本のパネルユニット架設用支柱Ｓ間に締着する。
【００４７】
一方、パネルユニット設置用三角金具Ｔに２枚の締付バンドＣを取り付けたものを、１８個用意する。詳しくは、１枚の締付バンドＣの４つの三角金具取付用透孔Ｃ１に内側から４本の傾斜端面ボルトＶ１を挿入した状態で、これら傾斜端面ボルトＶ１にナットＮを介してパネルユニット設置用三角金具Ｔの支柱取付用透孔Ｔ１ａ,Ｔ２ａにそれぞれ挿通し、さらに４つのナットＮで締付バンドＣをパネルユニット設置用三角金具Ｔの上端寄りに固定する。同様に、もう１枚の締付バンドＣの４つの三角金具取付用透孔Ｃ１に内側から４本の傾斜端面ボルトＶ１を挿入した状態で、これら傾斜端面ボルトＶ１にナットＮを介してパネルユニット設置用三角金具Ｔの支柱取付用透孔Ｔ１ｂ,Ｔ２ｂをそれぞれ挿通し、さらに４つのナットＮで締付バンドＣをパネルユニット設置用三角金具Ｔの下端寄りに固定する。このような作業を１８回繰り返して、上下一対の締付バンドＣを取り付けたパネルユニット設置用三角金具Ｔを１８個作成する。
【００４８】
次に、クレーン車等を用いて、各パネルユニット架設用支柱Ｓの第１段位置，第２段位置，第３段位置，第４段位置，第５段位置および第６段位置に、各２本の締付バンドＣによりパネルユニット設置用三角金具Ｔを上下方向に所定の間隔を介してそれぞれ締着する。合計１８個のパネルユニット設置用三角金具Ｔは、６段ずつ３本のパネルユニット架設用支柱Ｓに締着される。例えば、パネルユニット架設用支柱Ｓの全長が１２００ｍｍである場合、所定の間隔を１５６０ｍｍとして、第１段位置は３９５０ｍｍ、第２段位置は５５１０ｍｍ、第３段位置は７０７０ｍｍ、第４段位置は８６３０ｍｍ、第５段位置は１０１９０ｍｍ、第６段位置は１１７５０ｍｍに設定される。
【００４９】
続いて、３本のパネルユニット架設用支柱Ｓの第６段位置に締着された３個のパネルユニット設置用三角金具Ｔの傾斜辺部間に１枚の太陽光発電パネルユニットＰＵを第６段の太陽光発電パネルユニットＰＵとして架設する。詳しくは、１枚の太陽光発電パネルユニットＰＵを各パネルユニット設置用三角金具Ｔのパネルユニット受け部材Ｔａ,Ｔｂ間に左方向または右方向から挿入して位置決めし、ビスＴａ２およびＴｂ２をパネルユニット受け部材ＴａおよびＴｂの長孔Ｔａ１およびＴｂ１を介して太陽光発電パネルユニットＰＵのビス孔（図示せず）に螺入することにより、太陽光発電パネルユニットＰＵを３個のパネルユニット設置用三角金具Ｔの傾斜辺部間に架設する。これにより、第６段の太陽光発電パネルユニットＰＵが地面ＧＬに立設されたパネルユニット架設用支柱Ｓに太陽光エネルギーを最大限（約９８％）に受けられる設置傾斜角度４０°に傾けられて設置される。
【００５０】
同様に、３本のパネルユニット架設用支柱Ｓの第５段位置，第４段位置，第３段位置，第２段位置および第１段位置に締着された３個のパネルユニット設置用三角金具Ｔの傾斜辺部間に５枚の太陽光発電パネルユニットＰＵのそれぞれを第５段，第４段，第３段，第２段および第１段の太陽光発電パネルユニットＰＵとして架設する。これにより、第５段，第４段，第３段，第２段および第１段の太陽光発電パネルユニットＰＵが地面ＧＬに立設されたパネルユニット架設用支柱Ｓに太陽光エネルギーを最大限（約９８％）に受けられる設置傾斜角度４０°に傾けられて設置される。
【００５１】
この後、第１段〜第６段の太陽光発電パネルユニットＰＵに必要な配線等を施して、実施例１に係る太陽光発電装置の設置が完了する。
【００５２】
このように設置された実施例１に係る太陽光発電装置では、各太陽光発電パネルユニットＰＵが３本のパネルユニット架設用支柱Ｓの同じ段位置に取り付けられた３つのパネルユニット設置用三角金具Ｔの傾斜辺部間に設置されているので、太陽光発電パネルユニットＰＵの設置傾斜角度が約４０°となり、太陽光ＳＬの最大照射角６０°のときに太陽光ＳＬを最大限（約９８％）に受光できることになる。
【００５３】
以上説明したように、実施例１によれば、３本のパネルユニット架設用支柱Ｓを地面ＧＬに対してほぼ垂直な仮想平面をなすようにそれぞれ立設し、３本のパネルユニット架設用支柱Ｓに取り付けられたパネルユニット設置用三角金具Ｔの傾斜辺部間に６枚の太陽光発電パネルユニットＰＵを上下方向に所定の間隔を介して６段に架設したので、複数本のパネルユニット架設用支柱Ｓ間に下パネルユニット受け部材および上パネルユニット受け部材を架設する必要がなくなるので、太陽光発電装置の小型軽量化を図ることができる。
【００５４】
なお、実施例１に係る太陽光発電装置では、６枚の太陽光発電パネルユニットＰＵを３本のパネルユニット架設用支柱Ｓに取り付けられたパネルユニット設置用三角金具Ｔの傾斜辺部間に６段に架設するようにしたが、パネルユニット架設用支柱Ｓの本数を増やすことにより、太陽光発電パネルユニットＰＵを構成する太陽光発電パネルＰの枚数を増やして発電量を増やすことができることはいうまでもない。また、太陽光発電パネルユニットＰＵの段数を変化させることにより、１台の太陽光発電装置として発電量に変化を持たせることができることもいうまでもない。
【実施例２】
【００５５】
図１１（ａ）および（ｂ）は、本発明の実施例２に係る太陽光発電装置の正面図および側面図である。実施例２に係る太陽光発電装置は、５本のパネルユニット架設用支柱Ｓ間に３枚の太陽光発電パネルユニットＰＵを３段に架設した実施例である。
【００５６】
詳しくは、実施例２に係る太陽光発電装置は、地面ＧＬ上に載置された５個の基礎ブロックＢと、各基礎ブロックＢに基端部（下端部）をビスによりそれぞれ固定された５本のパネルユニット架設用支柱Ｓと、各パネルユニット架設用支柱Ｓに上下方向に所定の間隔を介して３段に取り付けられたパネルユニット設置用三角金具Ｔと、５本のパネルユニット架設用支柱Ｓ間に３段に架設された３枚の太陽光発電パネルユニットＰＵと、５本のパネルユニット架設用支柱Ｓの上端寄りおよび下端寄り間を繋ぐように架設された２本の頭繋ぎロッドＲとから、その主要部が構成されている。
【００５７】
図１１（ａ）を参照すると、太陽光発電パネルユニットＰＵは、図２（ａ）および（ｂ）に示した太陽光発電パネルＰを横一列に８枚並べることで形成されている。これにより、太陽光発電パネルユニットＰＵの発電量は、例えば、１枚当たり約１．６ＫＷとなる。
【００５８】
図１２（ａ）および（ｂ）を参照すると、パネルユニット架設用支柱Ｓは、上下方向に同一径の鋼管柱Ｓ１と、鋼管柱Ｓ１の下端面にロウ付けされた鋼板製の正四角板体Ｓ２と、鋼管柱Ｓ１と正四角板体Ｓ２とを接続するように前後左右にロウ付けされた４枚の鋼板製の三角フィンＳ３とから構成されている。正四角板体Ｓ２には、四側縁に沿って１２箇所の透孔Ｓ２１が等間隔に穿設されている。
【００５９】
図１３（ａ）および（ｂ）を参照すると、基礎ブロックＢは、コンクリート製の四角板体状に形成されていて、中央部に鋼鉄製の芯板Ｂ４が埋設されている。芯板Ｂ４には、１２箇所の螺子孔Ｂ４１が螺設されている。これらの螺子孔Ｂ４１は、正四角板体Ｓ２に穿設された透孔Ｓ２１にそれぞれ対応されていて、正四角板体Ｓ２の各透孔Ｓ２１から螺子Ｂ５を螺入することにより、芯板Ｂ４の螺子孔Ｂ４１に螺着されるようになっている。これにより、パネルユニット架設用支柱Ｓが基礎ブロックＢに立設される。
【００６０】
なお、その他の特に言及しない部材等は、実施例１の太陽光発電装置における対応部材と同様に形成されているので、それらに同一符号を付して詳しい説明を割愛する。
【００６１】
次に、このように構成された実施例２に係る太陽光発電装置の設置方法について説明する。
【００６２】
まず、５個の基礎ブロックＢに対して５本のパネルユニット架設用支柱Ｓを螺子Ｂ５（図１３（ｂ）参照）等によってそれぞれ固定して、５組のパネルユニット架設用支柱Ｓおよび基礎ブロックＢの結合体を製作する。
【００６３】
次に、５組のパネルユニット架設用支柱Ｓおよび基礎ブロックＢの結合体を基礎コンクリートで固めた地面ＧＬ上に一直線上に並ぶようにそれぞれ配置する。これにより、合計５本のパネルユニット架設用支柱Ｓが地面ＧＬに対してほぼ垂直な仮想平面をなすようにそれぞれ立設される。上記一直線が、太陽光発電パネルユニットＰＵの設置方位角度と対向するように設定されることは、実施例１に係る太陽光発電装置の場合と同様である。また、設置場所における太陽光ＳＬの日照条件等に応じて上記一直線の向きを変化させることができることもいうまでもない。
【００６４】
続いて、１本の頭繋ぎロッドＲを、５本のＵボルトＵにより５本のパネルユニット架設用支柱Ｓの上端寄りの第３段位置と第２段位置との間に、５本のパネルユニット架設用支柱Ｓ間を架橋するように締着する。詳しくは、まず頭繋ぎロッドＲから５本のＵボルトＵを外し、各ＵボルトＵを各パネルユニット架設用支柱Ｓの背面側から嵌合させ、ＵボルトＵの両端螺子部を頭繋ぎロッドＲの透孔Ｒ１に挿入してナットＮを螺合する。
【００６５】
同様に、もう１本の頭繋ぎロッドＲを、５本のＵボルトＵにより５本のパネルユニット架設用支柱Ｓの下端部寄りの第１段位置と基礎ブロックＢとの間に、５本のパネルユニット架設用支柱Ｓ間を架橋するように締着する。２本の頭繋ぎロッドＲにより５本のパネルユニット架設用支柱Ｓ間が上端寄りおよび下端寄りで一体化されるので、強風時等に５本のパネルユニット架設用支柱Ｓが互いに異なる方向に揺れて、５本のパネルユニット架設用支柱Ｓに取り付けられたパネルユニット設置用三角金具Ｔの傾斜辺部間に架設された太陽光発電パネルユニットＰＵが外れたり、破壊されたりすることを防止することができる。
【００６６】
一方、パネルユニット設置用三角金具Ｔに２つの締付バンドＣを４本のビス２本ずつ螺着したものを、１５個用意する。この作成手順は、実施例１に係る太陽光発電装置の場合と同様であるので、詳しい説明を省略する。
【００６７】
次に、各パネルユニット架設用支柱Ｓの下端寄りの第１段位置、中央部の第２段位置、上端寄りの第３段位置に、パネルユニット設置用三角金具Ｔを上下方向に所定の間隔を介して締着する。合計１５個のパネルユニット設置用三角金具Ｔが５本のパネルユニット架設用支柱Ｓに３個ずつ締着される。例えば、パネルユニット架設用支柱Ｓの全長が５０００ｍｍである場合、所定の間隔を１５８０ｍｍとして、第１段位置は１６４０ｍｍ、第２段位置は３２２０ｍｍ、第３段位置は４８００ｍｍに設定される。
【００６８】
続いて、５本のパネルユニット架設用支柱Ｓの第３段位置に取り付けられた５個のパネルユニット設置用三角金具Ｔの傾斜辺部間に１枚の太陽光発電パネルユニットＰＵを第３段の太陽光発電パネルユニットＰＵとして架設する。これにより、第３段の太陽光発電パネルユニットＰＵが地面ＧＬに立設されたパネルユニット架設用支柱Ｓに太陽光エネルギーを最大限（約９８％）に受けられる設置傾斜角度４０°に傾けられて設置される。
【００６９】
次に、５本のパネルユニット架設用支柱Ｓの第２段位置に取り付けられた５個のパネルユニット設置用三角金具Ｔの傾斜辺部間に１枚の太陽光発電パネルユニットＰＵを第２段の太陽光発電パネルユニットＰＵとして架設する。これにより、第２段の太陽光発電パネルユニットＰＵが地面ＧＬに立設されたパネルユニット架設用支柱Ｓに太陽光エネルギーを最大限（約９８％）に受けられる設置傾斜角度４０°に傾けられて設置される。
【００７０】
続いて、５本のパネルユニット架設用支柱Ｓの第１段位置に取り付けられた５個のパネルユニット設置用三角金具Ｔの傾斜辺部間に１枚の太陽光発電パネルユニットＰＵを第１段の太陽光発電パネルユニットＰＵとして架設する。これにより、第１段の太陽光発電パネルユニットＰＵが地面ＧＬに立設されたパネルユニット架設用支柱Ｓに太陽光エネルギーを最大限（約９８％）に受けられる設置傾斜角度４０°に傾けられて設置される。
【００７１】
３枚の太陽光発電パネルユニットＰＵは、５本のパネルユニット架設用支柱Ｓに取り付けられたパネルユニット設置用三角金具Ｔの傾斜辺部間に上下方向に所定の間隔を介して３段に架設されているので、太陽光ＳＬが太陽光発電パネルユニットＰＵに照射する際に、下位に設置された太陽光発電パネルユニットＰＵが上位に設置された太陽光発電パネルユニットＰＵによって日陰になることはない。
【００７２】
この後、第１〜第３段の太陽光発電パネルユニットＰＵに必要な配線等を施して、実施例２に係る太陽光発電装置の設置が完了する。
【００７３】
実施例２に係る太陽光発電装置によれば、５本のパネルユニット架設用支柱Ｓに取り付けられたパネルユニット設置用三角金具Ｔの傾斜辺部間に３枚の太陽光発電パネルユニットＰＵが上下方向に所定の間隔を介して３段に架設されるようにしたので、５本のパネルユニット架設用支柱Ｓ間に下パネルユニット受け部材および上パネルユニット受け部材を架設する必要がなくなるので、太陽光発電装置の小型軽量化を図ることができる。
【００７４】
また、実施例２に係る太陽光発電装置は、基礎ブロックＢを地面ＧＬに載置するだけで設置できるので、設置場所の日照条件等の変化に応じて、比較的容易に太陽光発電パネルユニットＰＵの設置方位角度や設置場所を変えることが可能である。
【００７５】
なお、実施例２では、５本のパネルユニット架設用支柱Ｓに取り付けられたパネルユニット設置用三角金具Ｔの傾斜辺部間に３枚の太陽光発電パネルユニットＰＵを上下方向に所定の間隔を介して３段に配置するようにしたが、設置場所の広狭，日照条件，気候・気象条件等に応じて、パネルユニット架設用支柱Ｓを任意の本数に変更したり、太陽光発電パネルユニットＰＵを任意の段数に変更したりすることが容易にでき、これにより、太陽光発電装置の発電量を容易に増やしたり、減らしたりすることができる。
【００７６】
以上、本発明の各実施例について説明したが、これらはあくまでも例示にすぎず、本発明はこれらに限定されるものではなく、特許請求の範囲の趣旨を逸脱しない限りにおいて、当業者の知識に基づく種々の変更が可能である。
【００７７】
例えば、図５（ａ）〜（ｇ）に示したパネルユニット設置用三角金具Ｔは、単なる一例であり、太陽光の照射角度等の設置場所の日照条件に応じて最大の発電効率が得られるように、複数種類の設置傾斜角度のパネルユニット設置用三角金具Ｔを予め用意し、選択して使用することができる。複数種類の設置傾斜角度（例えば、３０°、３５°、４０°、４５°）のパネルユニット設置用三角金具Ｔを予め用意し、設置場所の太陽光の照射角度（日本では最大６０°）に合わせていずれかの設置傾斜角度のパネルユニット設置用三角金具Ｔを選択して使用することにより、太陽光発電パネルユニットＰＵを地面ＧＬに対して約３０°〜４５°の設置傾斜角度で設置することができ、どのような日照条件の設置場所であっても、太陽光発電パネルユニットＰＵに照射される太陽光が最大日射量となるように設置することが可能となる。
【００７８】
また、本発明の各実施例に係る太陽光発電装置は、独立した太陽光発電装置であるため、設置場所に地耐力さえあれば、かつ設置スペースさえあれば、太陽光発電装置を何台でも設置可能であり、所望の発電量を得ることができる。なお、地耐力の弱い場所でも、地盤改良等を行えば、各実施例に係る太陽光発電装置を設置することが可能である。
【符号の説明】
【００７９】
Ｂ  基礎ブロック
Ｂ１  四角板部
Ｂ２  支持筒部
Ｃ  締付バンド
ＧＬ  地面
Ｐ  太陽光発電パネル
ＰＵ  太陽光発電パネルユニット
Ｒ  頭繋ぎロッド
Ｓ  パネルユニット架設用支柱
ＳＬ  太陽光
Ｔ  パネルユニット設置用三角金具
Ｔ１，Ｔ２  三角枠体
Ｔａ，Ｔｂ  パネルユニット受け部材
Ｕ  Ｕボルト
Ｖ１  傾斜端面ボルト
Ｖ２  締付ボルト
【図１】
2014140301.tif 000003
【図２】
2014140301.tif 000004
【図３】
2014140301.tif 000005
【図４】
2014140301.tif 000006
【図５】
2014140301.tif 000007
【図６】
2014140301.tif 000008
【図７】
2014140301.tif 000009
【図８】
2014140301.tif 000010
【図９】
2014140301.tif 000011
【図１０】
2014140301.tif 000012
【図１１】
2014140301.tif 000013
【図１２】
2014140301.tif 000014
【図１３】
2014140301.tif 000015